(57)【特許請求の範囲】
【請求項１】
皮膚から組成物を除去するための装置であって、
使用中に皮膚の上を動かされて組成物を除去する非シェービングヘッドと、
ハンドルと、
前記ヘッドが前記ハンドルの周りで関節運動できるようにする前記ヘッドと前記ハンドルとの間の接合部と、を有し、
前記接合部が、前記ハンドルと前記ヘッドとの間の上向きに開いたノッチの底部のウェブによって形成されることを特徴とする装置。
【請求項２】
前記ヘッドの関節運動に抗して働く抵抗力が存在し、該抵抗力が前記関節運動の増加に伴って増加することを特徴とする請求項１に記載の装置。
【請求項３】
前記ヘッドが、１０度から４０度の範囲内の角度にわたって前記ハンドルの周りで関節運動することができることを特徴とする請求項１又は請求項２に記載の装置。
【請求項４】
前記ヘッドの関節運動を引き起こす力が減少され又は除去されたときに、前記ヘッドはその前の又は元の位置に戻ることができることを特徴とする請求項１〜３のいずれかに記載の装置。
【請求項５】
前記装置がユニット化されていることを特徴とする請求項１〜４のいずれかに記載の装置。
【請求項６】
前記装置が一部品プラスチック成形品であることを特徴とする請求項５に記載の装置。
【請求項７】
前記ハンドルが実質的に剛性であり、前記ヘッドが実質的に剛性であり、前記接合部のみが前記関節運動の発生源であることを特徴とする請求項１〜６のいずれかに記載の装置。
【請求項８】
請求項１から請求項７のいずれか１項に記載の装置と除毛組成物とを含むパック。
【請求項９】
前記除毛組成物が二区画エアロゾル容器で供給されることを特徴とする請求項８に記載のパック。
【発明の詳細な説明】
【技術分野】
【０００１】
本発明は、皮膚から組成物を除去するための装置と、それに関連する方法に関する。本発明は、具体的には、限定する意味ではないが、除毛法で用いるための装置に関する。
【背景技術】
【０００２】
毛除去組成物は、いろいろな場所で入手することができる。それらは、機械的な働きにより毛を除去する脱毛薬である場合がある。それらは、化学的な働きにより毛を分解することによって毛を除去する除毛薬である場合がある。
除毛組成物の場合には、使用者は、それらを皮膚に塗布し、それらを作用させるために所定の時間をおき、そして普通は付属品を用いてそれらを皮膚から除去する。これは、典型的には布、スポンジ又は弾力的に曲げやすいプラスチックシートである。こうしたプラスチックシートは、組成物及びそれに随伴する毛の除去を容易にするような湾曲をもって形成することができる。しかしながら、或る消費者らは、こうした装置が扱いにくい又は使用しずらいと感じる。こうした装置を皮膚に接触する前縁の近くでしっかりつかむと、使用者の手を組成物及び除去された毛の付かない状態に保つのが難しくなる。さらに、こうした装置を用いて脚の後ろ側部分のような或る領域に触れるのは難しいことがある。
【発明の開示】
【０００３】
本発明者らは、皮膚から除毛組成物を含む組成物を有効に且つきれいに除去するための異なる形式の装置を考案した。
本発明の第１の態様によれば、該装置は、使用の際に皮膚の上で動かされて組成物を除去する非シェービング・ヘッドと、ハンドルと、ヘッドをハンドルの周りで関節運動できるようにする、ヘッドとハンドルとの間の接合部とを含む、皮膚から組成物を除去するための装置が提供される。
本明細書においては、「下方」及び「下側」という用語を用いるときには、使用の際に皮膚に面する装置の側のことをいう。「上方」及び「上」という用語は、互いに反対方向を示す。ヘッドが装置の前とみなされ、ハンドルの先端が装置の後ろとみなされる。
【０００４】
好ましい装置は、要求された時間の後に毛及び除毛組成物を除去するために除毛組成物が塗布された皮膚の上を引きずられて毛の除去に用いられるように設計される。この装置は、除毛組成物によって弱められた一部の毛を破断させるが、シェービング装置として用いることはできない。したがって、この装置は切断刃を備えるものではない。
しかしながら、この装置は、シェービング装置の外観をもつことが好ましい。したがって、この装置は、ほぼ棒状の又は杖状のハンドルと、より幅の広いヘッドとを有することが好ましい。好ましくは、ヘッドの最大幅はハンドルの最大幅より５０％大きく、好ましくは少なくとも８０％大きい。
好適には、ヘッドは、使用の際に皮膚に接触する前縁を有する。これは、直線状の縁であることが好ましい。前縁は、接合部とほぼ平行であるが、接合部から最大限に移動されることが好ましい。接合部と平行にすることは、その周りで関節運動が起こる軸線のことを示す。
【０００５】
前縁は、皮膚又は毛を切断しうるほどの、鋭くはない角をもつ。したがって、好ましい実施形態においては、目で拡大して見ると曲率半径がつけられているように見える。こうした前縁の半径は、好ましくは少なくとも０．２５ｍｍであり、より好ましくは少なくとも０．５ｍｍであり、最も好ましくは少なくとも０．６５ｍｍである。こうした前縁の半径は、好ましくは１．５ｍｍまでであり、より好ましくは１ｍｍまでであり、最も好ましくは０．８５ｍｍまでである。例えば、前縁の遠位先端部において、上記で与えられた定義に従う大半径と大半径より小さい小半径とをもつ複合半径とすることができる。こうした小半径は、好ましくは０．５ｍｍまでであり、より好ましくは０．３ｍｍまでであり、最も好ましくは０．２５ｍｍまでである。好ましくは少なくとも０．１ｍｍであり、より好ましくは少なくとも０．１５ｍｍである。
【０００６】
ヘッドの前縁領域は、一般にヘッドに用いられる材料より軟らかい感触の材料からなるフィンを含むことができる。前縁は、エラストマー材料のフィンを含むことが好ましい。
ヘッドは、力が存在しなくても、又は単にそこに触れただけでは歪む傾向はないハンドルによってしっかりと支持されることが好ましい。ヘッドは、使用の際に皮膚の上に乗せられると、抵抗力に抗して関節運動することができる。
使用の際に、使用者は、ハンドルをつかみ、ヘッドの前縁を皮膚の上におく。典型的には、この配置は、装置が皮膚の上を後方に引きずられるような位置にあるときに、ヘッド、及び全体としては装置が皮膚に対して鋭角をなすようにされる。ヘッドによって皮膚にかけられる力は、使用者がハンドルに力をかけ、それが接合部によってヘッドに伝達されることによって与えられる。ヘッドは、使用が依然として快適で、皮膚を機械的に攻撃しないように、上向きに関節運動することが好ましい。関節運動の度合いは、かけられた力に依存することが好ましい。したがって、接合部は、ヘッドが皮膚と接触したときに、ヘッドが移動するどんな位置でも、ハンドルにかけられる下向きの力が常にヘッドに伝えられるようにすることが好ましく、ヘッドの各位置において、ヘッドは接合部からの抵抗力を受ける。
【０００７】
端位置において、ハンドルに向かうヘッドの関節運動が終わる。これは、接合部に止め手段か又は弾性手段を設けることによって達成可能である。
接合部を広げて開けるような反対方向へのハンドルの周りのヘッドの移動は、制限される。これは、接合部が過度に関節運動するのを防止する弾性手段を接合部に設けることによるのが適している。
好適な弾性手段、例えば、エラストマー材料のパッキング又は成形品を接合部に存在させて、ヘッドがハンドルの周りでいずれの方向にも過度に関節運動するのを弾性的に妨害することができる。
ヘッドは、接合部に接続されるその後縁領域の周りで、好ましくはその後縁自体の周りで関節運動することが好ましい。
【０００８】
好適には、ヘッドは、（ここでは使用の際にその曲げられていない又は休止位置から、その最大限に曲げられた、すなわち最大限に関節運動した位置まで）少なくとも１度、好ましくは少なくとも５度、より好ましくは少なくとも１０度の角度にわたってハンドルに対して関節運動することができる。さらにより好ましくは、ヘッドは、少なくとも２５度、最も好ましくは少なくとも４０度の角度にわたってハンドルに対して関節運動することができる。
好適には、ヘッドは、１２０度まで、好ましくは９０度まで、より好ましくは７５度までの角度にわたってハンドルに対して関節運動することができる。最も好ましくは、ヘッドは、６０度までの角度にわたってハンドルに対して関節運動することができる。
【０００９】
好適には、ヘッドがハンドルの周りで関節運動するときに、前縁は、少なくとも２ｍｍ、好ましくは少なくとも３ｍｍ、より好ましくは少なくとも６ｍｍの円弧にわたって移動することができる。さらにより好ましくは、ヘッドがハンドルの周りで関節運動するときに、前縁は、少なくとも１０ｍｍ、最も好ましくは少なくとも１５ｍｍの円弧にわたって移動することができる。
好ましくは、ヘッドがハンドルの周りで関節運動するときに、前縁は、５０ｍｍまで、好ましくは４０ｍｍまで、最も好ましくは３０ｍｍまでの円弧にわたって移動することができる。
好ましくは、装置は、ヘッドに対する力が減少され又は除去されると、その前の又は休止位置を取り戻すことができるような記憶特性を有する。したがって、装置は、弾性又はエラストマー性の材料からなるものとすることができる。
【００１０】
本発明者らは、ヘッドがハンドルから分離する実施形態を排除するわけではない。しかしながら、装置はユニット式であることが好ましい。ユニット式の装置は、１つの材料からなることができ、又は製造時に共にセットされるが、装置が破壊され又は損傷されない限り後で分離できない１つより多い材料からなることができる。例えば、ハンドルは、感触の改善のためにその外面の少なくとも一部にエラストマー材料を支持するほぼ剛性のプラスチック材料からなるものとすることができる。エラストマー材料は、グリップ補助構成、例えば、１つ又はそれ以上のフィン、リブ、溝及びバンプをもつように好適に形成することができる。
【００１１】
典型的には、前縁は、２０−６０ｍｍのラインであり、好ましくは３０−５０ｍｍである。
ヘッドは、側部から見たときに湾曲していることが好ましい。ヘッドは下向きに凹型であることが好ましい。
ハンドルは、側部から見たときに湾曲していることが好ましい。ハンドルは下向きに凹型であることが好ましい。
装置は全体として湾曲していることが好ましく、下向きに凹型であることが好ましく、ヘッドの湾曲がハンドルの湾曲へと滑らかにつながることが好ましい。
装置は、プラスチック材料、特に熱可塑性材料から形成されることが好ましい。ポリオレフィンが特に適しており、とりわけポリエチレン（ＨＤＰＥ又はＬＤＰＥ）、特にポリプロピレンが適している。こうした材料は、ハンドルの周りのヘッドの好ましい抵抗性関節運動を可能にし、弾性的回復を可能にし、直ちに成形され、丈夫であり、そうでなければ接合部で起こりうる脆性破損の傾向が少ない。
コポリマー又はポリマーブレンドを用いることができる。
【００１２】
装置は、好ましくは少なくとも０．８ＧＰａ、より好ましくは１ＧＰａを超える曲げ率を有するプラスチック材料から形成される。
装置は、好ましくは１．５ＧＰａまで、より好ましくは１．２ＧＰａまでの曲げ率を有するプラスチック材料から形成される。
装置は、好ましくは少なくとも１０ｇ／１０分、より好ましくは少なくとも１８ｇ／１０分のメルト・フロー・インデックスを有するプラスチック材料から形成される。
装置は、好ましくは３０ｇ／１０分まで、より好ましくは２５ｇ／１０分までのメルト・フロー・インデックスを有するプラスチック材料から形成される。
【００１３】
曲げ率は、かけられた荷重の下で変形に耐える材料の能力を測るものである。本明細書の目的上、参考の試験方法は、ＩＳＯ１７８に記載されたものである。
メルト・フロー・インデックス（ＭＦＩ）は、既知の温度で及び既知の圧力の下で熱可塑性材料がどれくらい迅速に既知の開口部を通って流れるかを測るものである。ＭＦＩが高くなると材料の流れが速くなる。本明細書の目的上、参考の試験方法は、ＩＳＯ１１３３に記載されたものである。
プラスチック材料は、手での作業のためのその特性を改善するべく、１つ又はそれ以上の添加剤を含むことができる。例えば、そのしなやかさ又は可撓性を改善するために可塑剤を添加することができる。
装置は、ユニット式のプラスチック成形品であることが好ましい。好適には、接合部は、ハンドルとヘッドとの間に材料ウェブを設けることによって得られ、その両方より薄いことが好ましい。
【００１４】
ハンドルは、実質的に剛性の部品であることが好ましい。ヘッドは、実質的に剛性の部品であることが好ましい。したがって、ハンドルの周りのヘッドの関節運動は、全面的に接合部の性質によって起こり、その他の場所で変形する傾向はないことが好ましい。
装置の重量は、好ましくは１２ｇより少なく、より好ましくは８ｇより少ない。
ハンドルは、広がった遠位領域と広がった近位領域（接合部に隣接する）とを有し、それらの間にウエスト部をもつ、くびれのある形状である。ハンドルは、組成物を除去するようになった非シェービング縁を有する広がった遠位領域を有することができる。広がった遠位領域は、使用者が身体の異なる部位のためにより広い及び狭い縁から選択できるように、装置のヘッドより狭いことが好ましい。遠位領域は、最も好ましくはその上側に、保持を助けるためにくぼみを有することが好ましい。ハンドルの近位端領域は、その上側にくぼみを有することが好ましい。これらの場合の各々において、窪みは、ハンドルに成形されるテクスチャ加工ノンスリップ面に置き換えることもできる。
【００１５】
ハンドルは、中実の部品とすることができるが、より好ましくは下向きに開いたほぼＵ字形状である。
ハンドルは、香料を放出するようにすることができる。香料は、成形プラスチック物品に成形するか、又は例えば噴霧することによってハンドルの表面に付着させることができる。香料は、例えば、装置がつかまれたときに破裂して香料を放出する香料マイクロカプセルの形態とすることができる。
接合部は、プラスチック材料のウェブによって、好適には上向きに開いたノッチの底部に形成されることが好ましい。ノッチは、Ｕ字形の断面か又はＶ字形の断面とすることができる。ノッチの壁は、ハンドル及びヘッドの端面によって形成することができる。ヘッドとハンドルの端面同士が当接して単純にノッチが閉じることによって、ヘッドがハンドルに向かうという意味での屈曲の制限が生じる。或いは、両方向へのヘッドの関節運動に制限を設けるために、ノッチにエラストマー材料をパックし、又は成形することができる。
【００１６】
或いは、ヘッドは、「巻き線」の間隔が密接している蛇行形状の可撓性接続部によってハンドルに接続することができる。巻き線自体は、両方向へのヘッドの関節運動に制限を設けるために、ノッチにエラストマー材料をパックし、又は成形することができる。
ヘッドは、接合部によって、接合部より広いことが好ましい前縁によって、及びそれらの間の横縁によって境界づけられる。ヘッドの横縁は凸形であることが好ましい。凸形の縁は、そこから直立した対応する湾曲した壁を有することができ、好ましくは接合部の付近で最も高く、ヘッドの前面角部に向けてテーパする（すなわち、凸形の横縁と前縁との間の接合部）。ヘッドは、前縁によって切頭された円形又は楕円形の外観を有することが好ましい。
ヘッドの前縁と隣接縁との間の接合部は、それらが皮膚に対する突起物となる恐れを低減させるために、曲率半径がつけられる。
【００１７】
装置は、原則として、例えば洗浄又は保湿ボディパックといった組成物のいずれかを皮膚から除去するために用いることができる。しかしながら、主な関心事は、除毛組成物を随伴する毛と共に除去することに関連することが上記から明白となるであろう。
本発明の第２の態様によれば、第１の態様の装置の使用により、皮膚から組成物を、特に毛を含んだ除毛組成物を除去する方法が提供される。
本発明の第３の態様によれば、皮膚に除毛組成物を塗布し、除毛組成物を皮膚の上に所定の時間だけおき、第１の態様において定められたように皮膚の上で装置を動かすことによって除毛組成物及び除毛された毛を除去し、皮膚を洗い流すステップを含む、除毛する方法が提供される。
【００１８】
この方法は、除毛組成物の除毛作用に加えて、装置によって達成される除毛特性の付加的な毛除去作用が存在するものであることが好ましい。装置は、除毛組成物の存在なしでは除毛作用がないことが好ましいが、除毛組成物と組み合わされば、除毛組成物によって弱められた毛が装置によって除去される程度までの除毛作用があることが好ましい。これは、除毛組成物が皮膚上に減少された時間だけ、例えば３分間にわたって残ることのみが必要とされることを意味するので非常に有用となりうる。全ての成長したムダ毛を除去するために除毛組成物が要求された場合には、通常はより長い時間が必要とされるが、これは、皮膚の刺激をもたらす恐れの増加を伴って行われる。本発明によれば、装置が仕事を完遂することができるという認識において、より短い時間を用いることができる。
ここで説明された除毛組成物は、例えば、クリーム、ローション、ゲル又はフォームとすることができる。
【００１９】
装置は、そのままで販売することができる。しかしながら、皮膚に塗布されることになる組成物の容器を伴うパックで販売されることが好ましい。容器は、例えば、ジャー又はチューブ、通常のエアロゾル・キャニスタ、又は多成分もしくは二成分エアロゾル製品（キャニスタの内部で組成物と圧縮ガスが分離され、弁が作動されたときに圧縮ガスが組成物を連れ出す）とすることができる。除毛組成物の場合には、後者が組成物を供給する好ましい方法である。
皮膚に塗布される組成物のパック及び第１の態様の装置は、２つの構成要素が入っているカートンとするか、又はそれらを包む透明なプラスチックパッケージ（ブリスタパック又はシュリンク・スリーブとすることができる）。或いは、第１の態様の装置は、組成物が入っている容器と直接的に係合することができる。例えば、キャニスタは、それに装置が取り付けられるように改造されたキャップを有することができる。
第４の態様によれば、上記で定められた装置と除毛組成物を含むパックが提供される。
本発明は、添付の図面を参照しながら単なる例としてさらに説明される。
【発明を実施するための最良の形態】
【００２０】
説明される実施形態の各々は、除毛組成物と共に用いられることを意図されている。
図１及び図２に示された第１の実施形態の装置は、広いヘッド２と棒状のハンドル４とを含み、それらは、ヒンジとして働く接合部６によって互いに接続され、ヒンジは、力がかけられたときにヘッドがハンドルの周りを抵抗力に抗して関節運動できるようにする。ヘッドとハンドルが、接合部６においてそれらの下縁で互いに接合される端面で終わることが、図２において見られる。端面は、実質的に上向きに開いたＶ字形状のノッチとして接合部を定める。
装置の外観は、かみそり装置のヘッドと同様の幅のヘッド２と、それより非常に細い棒状のハンドルとを有するところがかみそり装置と似ている。しかしながら、この装置は、実際はかみそり装置ではない。この装置は、金属の切断刃をもたない。
【００２１】
図２に見られるように、装置は側面図においてほぼ湾曲しており、下方からみると凹形である。
装置は一部品ポリオレフィン成形品である。ヘッド２とハンドル４との両方は通常は剛性であるが、接合部６はより薄く、可撓性である。したがって、ヘッド２は、ハンドル４に対して関節運動し又は曲がり、関節運動は、全面的に接合部６の可撓性によって与えられる。
ヘッド２は、接合部６からその両側にかけて前縁領域８を有する。前縁領域８は、前縁１０において終わり、この実施形態においては４４ｍｍの長さである。前縁１０は、０．７５ｍｍの半径をもつように形成される。この半径は、こそぎ落とし動作による皮膚からの材料の良好な除去を達成できることを意味し、実質的に弱められた毛が破断され、除去され、分解されていない毛は切断され又は破断されることはなく、皮膚もそうされることはない。前縁１０と接合部６との間で、ヘッドは外向きに湾曲した又は弓なりになった側縁１２を有し、それによりヘッドの全体的な平面図の形状はほぼ半円形である。ヘッドはその上面において球状部分１４を有する。これは、美的理由のために及びヘッドに剛性を付与するために存在する。
ハンドルは、固体のプラスチック材料からなり、若干くびれのある形状であり、幅２２ｍｍの広く薄い丸みのある遠位領域１６と、幅１０ｍｍの細いウエスト部１８と、ウエスト部より広く、１８ｍｍの最大幅まで広がり、接合部６のすぐそばにある近位領域２０とを有する。近位領域２０の上面は、ノンスリップ・テクスチャ加工部分２２をもつように成形される。これは図１に見ることができる。図２に見られるように、このテクスチャ加工部分は接合部６に向けて隆起する。最終的には、テクスチャ加工部分２２が、使用者の親指２４のための快適な位置を与え、使用中に力をかけるのを容易にする。その間、使用者の指２６はハンドルの凹形の下側に配置される。
【００２２】
使用の際に、普通は手によって除毛組成物（例えばクリーム、ローション、フォーム又はゲル）が皮膚に塗布され、要求される時間だけそのままおかれる。これは通常５分間であるが、本発明者らは３分間で除去されるように調製された除毛組成物の使用を好む。上記で説明された装置は、除毛された毛と共に組成物を除去するために用いられる。装置は、湿式かみそりのように引きずり動作により皮膚の上を後方に動かされる。使用者によってハンドルにかけられた下向きの力がヘッドに伝達され、該ヘッドの前縁が皮膚に接触する。ヘッドは、ヘッドの前縁と皮膚との間で作用する力への反応として、図２に点線で示された位置まで僅かに曲がる。使用者がより高い下向きの力をかけた場合には、ヘッドがさらに曲がる。皮膚に強く押し付けすぎる恐れに備えて、本質的にヘッドは自動修正式である。ハンドルに対するヘッドの関節運動は、接合部内での抵抗に抗して起こる。抵抗がなかった場合には、ヘッドがハンドル上でバタつくことになり、装置が使い物にならなくなる。
【００２３】
極めて高い下向きの力がヘッドにかけられた場合には、ヘッドはその限度位置まで関節運動すると予想され、そのときＶ字形状のノッチが閉じ、ハンドルの端面が実質的に止め手段として働く。しかしながら、これはこの実施形態においては意図されておらず、期待されるいずれの用途にも特徴的なものではない。
ハンドルは、異なる位置で保持することができる。例えば、前縁が指先よりかなり遠ざかるように親指と指との間でハンドルの遠位端を保持する使用者にとっても快適となるように設計される。これは、例えば脚の後ろといった、触れるのが困難な領域から材料を除去するときに有用となりうる。
第１の実施形態においては、ポリオレフィンはポリプロピレンであるが、他の実施形態においては、例えばＬＤＰＥ又はＨＤＰＥといった同様の設計のポリエチレンが好ましい。
図３に示された実施形態は、前縁にエラストマー・フィン２８が設けられている点のみが、図２のものとは異なる。これは、エラストマー材料からなるものとすることができ、例えばデュアルショット成形によってあらゆる典型的な方法で製品にセットすることができる。エラストマー・フィンは、かなり硬い及び／又は細いことが好ましく、それにより接合部を設けることによってやはり利点が与えられる。
【００２４】
図４及び図５は、同じく第１の実施形態と密接な関係がある第３の実施形態を示す。大きな違いのみを説明する。その他の点では、第１の実施形態の説明を第３の実施形態にあてはめる。
第１の違いは、ハンドルが、中実のプラスチックからなるのではなく、下向きに凹形の成形品であることである。すなわち横断面図においてはＵ字形状である。図５は、装置を下から見た図であり、これは壁３２とその間のくぼみ３４とを示す。これは、装置に用いられるプラスチックの量を約１１ｃｍ3から約７ｃｍ3に減らせることを意味し、改善されたグリップ性を与える。
第２の違いは、装置の遠位端１６がくぼみ３６をもつように形成されることである。これは、図１に関連して説明されたように、遠位端での装置の保持を助けるためである。このくぼみの輪郭は、テクスチャ加工部分２２の下側と共に図５の下側図において見ることができる。
【００２５】
第３の違いは、Ｖ字形状のノッチの形態ではない接合部６にある。ハンドルとヘッドの端面は、第１及び第２の実施形態と同様には接触しない。代わりに、それらは短いブリッジ３８によって互いに接合される。接合部は、実際には、Ｕ字形状のノッチの形態である。これは、良好な可撓性を与え、関節運動の位置がより拡散しているために、応力損傷の恐れが低い。
接合部６に隣接するヘッドの下側は、その剛性を高める三日月形状の部分４０をもつように形成される。
第５の違いは、接合部に弾性パッキング４１が充填され、接合部に結合されることである。弾性パッキングは、両方向、すなわち時計回り及び反時計回りの方向へのハンドルの周りのヘッドの屈曲を制限する。
【００２６】
図７から図１３は、同じく第１の実施形態と密接な関係がある第４の実施形態を示す。大きな違いのみをさらに詳しく説明する。その他の点では、第１の実施形態の説明を第４の実施形態にあてはめる。
第１の違いは、ヘッドが、その外向きに湾曲した側縁１２から上向きに延びる直立壁４２を有することである。図面にははっきりと示されていないが、図６に或る程度まで見ることができるように、壁は、ヘッドの主シート領域４６からほぼ６０度の角度をなして斜めに隆起する。この壁は、接合部６に隣接して最も高く、前縁１０のそれぞれの端部において前面角部４４、４６に向けて縮小し又はテーパする。これらの角部４４、４６において、壁４２が見えなくなる。
【００２７】
第３の実施形態と同様に、第４の実施形態は、ハンドルを通る断面の図である図９及び図１０によって示されるように、下向きに凹形のハンドルを有する。図９に示された断面Ｄ−Ｄにおいて、ハンドルの最大幅は２１ｍｍであり、ハンドルの下側に形成されたくぼみ４７の最大幅は１５ｍｍである。ハンドルの最大高さは１３．５ｍｍであり、キャビティの深さは８ｍｍである。図１０に示された断面Ｅ−Ｅにおいて、ハンドルの最大幅は１１ｍｍであり、ハンドルの下側に形成されたくぼみ４７の最大幅は６ｍｍである。ハンドルの最大高さは５ｍｍであり、キャビティの深さは２ｍｍである。
皮膚に対する突起物となる恐れを低減させるために、ヘッドの前部の角部４４、４６がより顕著に曲率半径がつけられるという点で、第４の実施形態の装置も第１の実施形態の装置とは異なる。図１２は角部４４を詳細に示す。この実施形態においては、各角部の半径は３ｍｍである。
【００２８】
図１１は、前縁１０を詳細な断面図で示す。これは複雑な形状である。主シート領域４６は、厚さ１．５ｍｍ（寸法ａ）である。縁１０に近づくにつれて、上面は４８において傾斜がつけられ、この傾斜の長さは３．２ｍｍ（寸法ｂ）である。傾斜は、第１の曲率半径をもつ領域（寸法ｃ）、ｒ＝０．８ｍｍにつながり、それはより鋭い曲率半径をもつ領域ｒ＝０．２ｍｍにつながり、それがシート領域４６の上面（寸法ｄ）につながる。傾斜４８と第１の曲率半径をもつ領域との接合部において計測されたヘッドの厚さは、寸法ｅ、０．８ｍｍである。
【００２９】
図１３は、接合部６の詳細な断面図である。これは、４ｍｍの半径をもつ下面５０と、１．５ｍｍの半径をもつ、接合部の上向きに開いた底部を表す上面５２とを構成する。接合部の底部における材料の厚さは１ｍｍである。
前縁の幅は４４ｍｍである。接合部の中間点まで計測されたハンドルの長さは９９ｍｍである。ハンドルはウエスト部をもつ。遠位端における最大幅は２３ｍｍである。ヒンジのすぐそばの近位端における幅は１８ｍｍである。そのウエスト部の間に１０ｍｍの最小幅を有する。装置の全体的な長さは１２３ｍｍである。
この第４の実施形態においては、ポリマーは、以下の特性、すなわち曲げ率１０５０ＭＰａ（ＩＳＯ１７８）、及びメルト・フロー・インデックス２１ｇ／１０分（ＩＳＯ１１３３）を有するポリプロピレンランダムコポリマーである。
【００３０】
図６に示された装置は、グリコレート含有除毛ローションと組み合わせて試験された。ローションは、脚の毛を生やしたままにしてある女性ボランティアの脚に予めペンでマークされた５０ｍｍ×５０ｍｍの試験領域に塗布された。それを３分おいて除去した。試験１においては、装置又はその他の手での助けによらずに洗い流すことによってローションを除去した。試験２及び試験３においては、毛の生えている方向（「銀面」）に逆らって皮膚の上を引きずられる装置の使用によってローションを除去した。結果は以下の通りである。
0004566987.tif 000002
【００３１】
図１４は、除毛組成物のキャニスタに取り付けられた、上記で示された第４の実施形態に係る装置を示す。キャニスタは、通常のエアロゾル・キャニスタではなく、二区画エアロゾル・キャニスタである。取り外し可能なキャップ１４２とキャニスタ本体１４４との間に、本発明に係る装置を保持するように形成された可撓性プラスチック部１４４が形成されている。組立体の全体が、例えばブリスタパックとしてプラスチックフィルムに包まれる。この配置の利点は、購入前に組立体が回転する恐れがないことである。これらの２つの物品が１つのパッケージ内に、しかし別の区画に入っている別の配置においては、その円筒形の形状のためにキャニスタがパッケージ内で転倒する恐れがある。これが起こった場合には、販売の時点で顧客への展示が台無しになる。
【００３２】
別の実施形態においては、前述のようにキャニスタと装置を包むために互いに係合される２つの成形された透明なプラスチックシェルを用いることによって同様の結果が達成され、該シェルは、キャニスタをぴったりと受け入れるためのキャビティと、装置をぴったりと受け入れるためのキャビティとを共に定める。キャビティは、分かれているが、相互に接続されることが好ましく、それにより装置が実質的に図１４の実施形態に示されるようにキャニスタに対してぴったり収められる。
【図面の簡単な説明】
【００３３】
【図１】装置の第１の実施形態の斜視図である。
【図２】図１の装置の側面図である。
【図３】装置の第２の実施形態の斜視図である。
【図４】装置の第３の実施形態の側面図である。
【図５】図４の装置を下から見た図である。
【図６】装置の第４の実施形態の斜視図である。
【図７】図６の装置の平面図である。
【図８】図６の装置の側面図である。
【図９】図８の線Ｄ−Ｄに沿って見た断面図である。
【図１０】図８の線Ｅ−Ｅに沿って見た断面図である。
【図１１】図８に示された細部Ａの拡大図である。
【図１２】図６に示された細部Ｂの拡大図である。
【図１３】図８に示された細部Ｃの拡大図である。
【図１４】除毛組成物のキャニスタに結合された装置を示す図である。
【図１】
0004566987.tif 000003
【図２】
0004566987.tif 000004
【図３】
0004566987.tif 000005
【図４】
0004566987.tif 000006
【図５】
0004566987.tif 000007
【図６】
0004566987.tif 000008
【図７】
0004566987.tif 000009
【図８】
0004566987.tif 000010
【図９】
0004566987.tif 000011
【図１０】
0004566987.tif 000012
【図１１】
0004566987.tif 000013
【図１２】
0004566987.tif 000014
【図１３】
0004566987.tif 000015
【図１４】
0004566987.tif 000016